(57)【要約】【課題】印刷モードを変更する際にどのトナーカートリッジをロータリ現像機に装填しどのトナーカートリッジをロータリ現像機から引き抜くべきかを操作者が容易に判断することができるようにする印刷装置を、提供する。【解決手段】印刷装置１０は、操作者から印刷モードの切り替えの指示を受け付けたときには、その時の印刷モード以外の印刷モードを選択肢として提示し、その中から何れかの印刷モードが選択されたときには、その選択された印刷モードに必要なトナーカートリッジ２１の脱着を行うためのガイダンスを提示する。【選択図】図４
2006162811.tif 000002
【特許請求の範囲】
【請求項１】
トナーカートリッジが着脱自在に装填される装填部が複数組み込まれたロータを回転させることによって、前記トナーカートリッジを抜き差しするために筐体に形成された取出口がある位置に前記トナーカートリッジの着脱対象となる装填部を選択的に配置するロータリ現像機を搭載した印刷装置であって、
印刷に使用するトナー色の数とトナーカートリッジの本数とが互いに異なる一つ以上の印刷モードのそれぞれについて、その印刷モードで使用する各トナー色とそれらトナー色が割り当てられる前記各装填部との対応付けを定義した対応情報を記憶する記憶部，
前記各印刷モードのうちの一つを指定した印刷モードの切替指示を受け付ける指示受付部，及び、
前記指示受付部が切替指示を受け付けると、前記複数の装填部のそれぞれについて、その装填部を前記取出口のある位置に配置させるよう前記ロータリ現像機を制御する駆動処理と、前記切替指示にて指定される印刷モードのときにその装填部に対応付けられるトナー色が前記記憶部内の対応情報で規定されているときにはそのトナー色を持つトナーカートリッジを装填するよう指示する旨を表示装置に表示する表示処理と、その装填部についての前記取出口を通じたトナーカートリッジの抜き差し作業を終えた旨の入力操作を入力装置において受け付ける終了通知受付処理とを行う制御部
を備えることを特徴とする印刷装置。
【請求項２】
前記制御部は、前記複数の装填部のそれぞれについて行う前記表示処理において、前記切替指示において指定された印刷モードのときにその装填部に対応付けられるトナー色が前記記憶部内の対応情報にて規定されていないときには、その装填部からトナーカートリッジを引き抜くよう指示する旨を表示装置に表示する
ことを特徴とする請求項１記載の印刷装置。
【請求項３】
前記制御部は、前記複数の装填部のそれぞれについて前記駆動処理と前記表示処理と前記終了通知受付処理とを行った後、トナーカートリッジの使用結果に関するものとして記憶装置に記録されている情報を初期化する
ことを特徴とする請求項１又は２記載の印刷装置。
【請求項４】
前記制御部が、前記複数の装填部のそれぞれについて前記駆動処理と前記表示処理と前記終了通知受付処理とを行った後、主電源の再投入を行う
ことを特徴とする請求項１，２又は３記載の印刷装置。
【請求項５】
前記制御部は、主電源の再投入を行った後、前記複数の装填部のそれぞれについて、その装填部にトナーカートリッジが装填されているときにはそのトナーカートリッジの持つトナー色がその装填部に対応付けられるものとして前記記憶部内の対応情報に規定されるトナー色と一致するか否かを検査し、トナー色が一致しないときには、その装填部について、前記駆動処理，表示処理，及び、前記終了通知受付処理を行う
ことを特徴とする請求項４記載の印刷装置。
【請求項６】
前記入力装置は、前記取出口を蓋するための外カバーが閉じられたことを検出するセンサである
ことを特徴とする請求項１乃至５の何れかに記載の印刷装置。
【発明の詳細な説明】
【技術分野】
【０００１】
本発明は、印刷装置に、関する。
【背景技術】
【０００２】
周知のように、電子写真プロセスを構成する「転写」における色重ね工程の一態様として、マルチパス方式というものがある。マルチパス方式では、印刷用紙又は中間転写媒体の表面に各色成分のトナー像が一色ずつ順に付着されて重ね合わせられることによって、カラーのトナー像が生成される。
【０００３】
また、このようなマルチパス方式の色重ねプロセスを行う印刷装置において「現像」を実現する機器の一つとして、ロータリ現像機がある。ロータリ現像機は、トナーカートリッジが着脱自在に装填される装填部とトナー運搬及びトナーへの帯電を行う現像ローラとを色成分の数だけ内蔵するロータを備え、感光ドラムの表面に静電潜像が描画されたときには、その静電潜像へのトナーの付着を行うべき現像ローラを感光ドラムに近接させるために、ロータを回転させる。
【０００４】
そして、このようなロータリ現像機を搭載した印刷装置の多くは、ロータに組み込まれた複数のトナーカートリッジを一本ずつしか取り出せないようになっている。より具体的に説明する。図１１は、この種の印刷装置３０の外カバーを開けた状態を示す斜視図である。
【０００５】
この種の印刷装置３０において、ロータリ現像機の各装填部からトナーカートリッジを取り出す場合、操作者は、まず、外カバーの内側においてトナーカートリッジの取出口の近傍に設置された複数のカラーボタン３０ｂの中から、取り出すべきトナーカートリッジが持つトナー色と同じ色が表されたカラーボタンを押下する（図１１の場合「Ｋ」）。
【０００６】
すると、印刷装置３０の内部においてロータが回転して、そのトナーカートリッジが装填されている装填部がトナーカートリッジの取出口に配置される。そして、この動作が終わるまで待機した後、操作者は、内カバー３０ｃを開ければ、取出口からその現像ユニットのトナーカートリッジを引き抜くことができるようになる。
【０００７】
さらに、別のトナーカートリッジを取り出す場合、操作者は、一旦内カバー３０ｃを閉じた後、別のトナーカートリッジのトナー色と同じ色のカラーボタンを押下すれば、暫く待機した後で、そのトナーカートリッジを同じ取出口から引く抜くことができるようになる。
【発明の開示】
【発明が解決しようとする課題】
【０００８】
ところで、印刷装置の中には、ロータリ現像機の各装填部に装填されるトナーカートリッジのトナーの色の組み合わせに応じてカラー印刷と白黒印刷とを切り替えるものがある。この種の印刷装置は、例えば、ＣＭＹＫのトナーがそれぞれ充填された四本のトナーカートリッジがロータリ現像機に装填されたときには、カラー印刷モードで動作するようになり、Ｋのトナーカートリッジが一本だけ装填されたままＣＭＹの三本のトナーカートリッジが抜き出されたときには、白黒のモノクロ印刷モードで動作するようになる。
【０００９】
しかしながら、印刷装置が、ロータリ現像機に装填されたトナーカートリッジの組み合わせに応じて印刷モードを替えるように構成されていると、外観からはトナーカートリッジが見えないために、どの色成分のトナーカートリッジが装填済なのか、或いは、どの色成分のトナーカートリッジを装填すべきなのかを、操作者が判断できないこととなっていた。
【００１０】
また、図１１に示されるような外カバー３０ａの内側に設置されているカラーボタン３０ｂは、トナーカートリッジの着脱のためだけに用意されたものであって汎用的でないため、製造コストの削減に貢献する項目として、カラーボタンの廃止が検討されていた。
【００１１】
本発明は、前述したような従来の事情に鑑みてなされたものであり、その課題は、印刷モードを変更する際にどのトナーカートリッジをロータリ現像機に装填しどのトナーカートリッジをロータリ現像機から引き抜くべきかを操作者が容易に判断することができるようにし、且つ、外カバーの内側にカラーボタンを設置することなくトナーカートリッジの着脱操作が行えるようにすることにある。
【課題を解決するための手段】
【００１２】
上記の課題を解決するために発明された印刷装置は、トナーカートリッジが着脱自在に装填される装填部が複数組み込まれたロータを回転させることによって、前記トナーカートリッジを抜き差しするために筐体に形成された取出口がある位置に前記トナーカートリッジの着脱対象となる装填部を選択的に配置するロータリ現像機を搭載したものであって、印刷に使用するトナー色の数とトナーカートリッジの本数とが互いに異なる一つ以上の印刷モードのそれぞれについて、その印刷モードで使用する各トナー色とそれらトナー色が割り当てられる前記各装填部との対応付けを定義した対応情報を記憶する記憶部，前記各印刷モードのうちの一つを指定した印刷モードの切替指示を受け付ける指示受付部，及び、前記指示受付部が切替指示を受け付けると、前記複数の装填部のそれぞれについて、その装填部を前記取出口のある位置に配置させるよう前記ロータリ現像機を制御する駆動処理と、前記切替指示にて指定される印刷モードのときにその装填部に対応付けられるトナー色が前記記憶部内の対応情報で規定されているときにはそのトナー色を持つトナーカートリッジを装填するよう指示する旨を表示装置に表示する表示処理と、その装填部についての前記取出口を通じたトナーカートリッジの抜き差し作業を終えた旨の入力操作を入力装置において受け付ける終了通知受付処理とを行う制御部を備えることを、特徴としている。
【００１３】
このように構成されると、操作者が指示受付部において印刷モードの切り替えを指示したときには、装填部が一つずつ順に取出口のある位置に配置されるとともに、取出口のある位置に配置された装填部についてトナー色が対応付けられているときには、そのトナー色を持つトナーカートリッジをその装填部に装填するよう指示する旨が、トナーカートリッジの着脱のためのガイダンスとして、表示されることとなる。このため、操作者は、表示されるガイダンスに従って、トナーカートリッジを取出口に差し入れたり、トナーカートリッジを取出口から引き抜いたりすることにより、どのトナーカートリッジを着脱すべきかを容易に判断することができる。然も、このように表示装置にガイダンスを表示することにより、外カバーの内側にカラーボタンを設置する必要がなくなる。
【発明の効果】
【００１４】
このように、本発明によれば、印刷モードを変更する際にどのトナーカートリッジをロータリ現像機に装填しどのトナーカートリッジをロータリ現像機から引き抜くべきかを操作者が容易に判断することができるようになり、然も、外カバーの内側にカラーボタンを設置することなくトナーカートリッジの着脱操作が行えるようになる。
【発明を実施するための最良の形態】
【００１５】
以下、添付図面に基づいて、本発明を実施するための一つの形態である印刷装置について説明する。
【００１６】
まず、本実施形態の印刷装置の構成を説明する。
【００１７】
図１は、本実施形態の印刷装置１０の構成図である。印刷装置１０は、図示せぬホストコンピュータや図示せぬカメラ装置から印刷要求を受信して動作する装置であり、主要な構成として、操作パネル１０ａ，印刷エンジン１０ｂ，及び、制御装置１０ｃを、内蔵している。
【００１８】
操作パネル１０ａは、実行すべき処理についての指示を操作者から取得するための装置であり、印刷装置１０の上面に設けられている。この操作パネル１０ａの上面には、ＬＣＤ，ボタン，ＬＥＤ等のような操作に必要なインターフェース部品が、備えられている。
【００１９】
印刷エンジン１０ｂは、用紙上への印刷を実際に行う機構である。この印刷エンジン１０ｂは、後で詳述するように、カラー印刷と白黒のモノクロ印刷とを行うことができるものとなっている。
【００２０】
制御装置１０ｃは、図示せぬホストコンピュータや図示せぬカメラ装置からの印刷要求に基づいて印刷エンジン１０ｂの駆動を制御する処理や、操作パネル１０ａにおいて取得した指示に基づいて各種の処理を行う装置である。
【００２１】
この制御装置１０ｃは、その主要な構成として、ネットワークＩ／Ｆ回路１０１，ＵＳＢＩ／Ｆ回路１０２，ＲＡＭ１０３，ビデオ信号生成回路１０４，ＲＯＭ１０５，メモリコントローラ１０６，Ｉ／Ｆ回路１０７，ＥＥＰＲＯＭ１０８，及び、ＣＰＵ１０９を、プリント基板上に備えている。
【００２２】
ネットワークＩ／Ｆ回路１０１は、図示せぬホストコンピュータから印刷要求を受信するためのユニットであり、具体的には、ＬＡＮボード等の通信インターフェースポートである。ＵＳＢＩ／Ｆ回路１０２は、図示せぬカメラ装置から印刷要求を受信するためのユニットであり、具体的には、ＵＳＢ規格に従ったデータの通信を制御する通信インターフェースポートである。なお、カメラ装置は、静止画の画像データを取得することができる装置であり、具体的には、デジタルスチルカメラ，デジタルビデオカメラ，カメラ付き携帯電話機などである。
【００２３】
ＲＡＭ１０３は、図示せぬホストコンピュータや図示せぬカメラ装置から送信されてきた印刷要求の一時記憶に使用されるとともにその印刷要求に基づいて印刷エンジン１０ｂへ供給する印刷データを生成するために使用されるメモリである。
【００２４】
ビデオ信号生成回路１０４は、印刷エンジン１０ｂへ供給する印刷データをその印刷エンジン１０ｂ内の走査ユニット１１３（図２参照）が処理可能な形態の電気信号に変換するための回路である。
【００２５】
ＲＯＭ１０５は、印刷装置１０を制御するためのプログラムや、印刷要求から印刷データを生成する際に使用されるフォントデータを記憶した不揮発性メモリである。
【００２６】
メモリコントローラ１０６は、図示せぬホストコンピュータや図示せぬカメラ装置からネットワークＩ／Ｆ回路１０１又はＵＳＢＩ／Ｆ回路１０２を通じて受信した印刷要求のＲＡＭ１０３へのＤＭＡ転送，ＲＡＭ１０３内の印刷データのビデオ信号生成回路１０４へのＤＭＡ転送，及び、ＲＯＭ１０５内のプログラムやデータのＲＡＭ１０３への書き出しを制御する回路である。
【００２７】
Ｉ／Ｆ回路１０７は、操作パネル１０ａ内の各ユニットとの各種信号の送受信，及び、印刷エンジン１０ｂ内の各ユニットとの各種信号の送受信を制御する回路である。
【００２８】
ＥＥＰＲＯＭ１０８は、印刷に係る各種の設定や使用結果に関する各種の情報を記録しておくための書込可能メモリである。なお、使用結果に関する各種の情報としては、後述するトナーのそれぞれについて、以下のようなものがある。すなわち、後述するトナーカートリッジにおけるトナー残量，一頁分の総ドット数に対する実際に印字したドット数の割合の平均，及び、１％のトナー量に要したドット数の平均がある。
【００２９】
ＣＰＵ１０９は、ＲＯＭ１０５内のプログラムに従って各部を統合的に制御することにより、図示せぬホストコンピュータや図示せぬカメラ装置から送信されてきた印刷要求に応じた印刷を印刷エンジン１０ｂに行なわせるための印刷制御処理や、操作パネル１０ａに対する操作を通じてユーザから実行すべき処理についての指示を取得する処理を行なう制御回路である。
【００３０】
次に、印刷エンジン１０ｂの構成について説明する。
【００３１】
図２は、印刷エンジン１０ｂの構成図である。印刷エンジン１０ｂは、主要な構成として、感光ユニット１１１，帯電ユニット１１２，走査ユニット１１３，ロータリ現像ユニット１１４，転写ベルトユニット１１５，二次転写ユニット１１６，及び、定着ユニット１１７を、内蔵している。
【００３２】
感光ユニット１１１は、光導電性物質が表面に蒸着された円筒状の感光ドラムを回転駆動するユニットである。
【００３３】
帯電ユニット１１２は、感光ユニット１１１の感光ドラムの表面が帯びている静電気の除去（除電）、その表面に付着しているトナーのゴムブレード等による除去（清掃），及び、その表面への静電気の付与（帯電）を行うユニットである。
【００３４】
走査ユニット１１３は、印刷データに基づいてオンオフ変調されたレーザービームにて感光ドラムの表面を走査してその表面上の静電気を部分的に除去することにより、静電潜像を形成するユニットである。なお、レーザービームをオンオフ変調するための信号は、前述したビデオ信号生成回路１０４から入力される。
【００３５】
ロータリ現像ユニット１１４は、静電気を帯電させたトナーを感光ドラムの表面に搬送して静電潜像にトナーを付着させるユニットである。なお、このロータリ現像ユニット１１４の構成については、後で詳述する。
【００３６】
転写ベルトユニット１１５は、中間転写媒体（中間体）として感光ドラムの表面からトナーを受け取る転写ベルトを回転させるためのユニットである。なお、転写ベルトユニット１１５は、ＣＭＹＫの色成分のトナーを利用したカラー印刷を行う際には、感光ドラムから回転ベルトへのトナー像の一次転写の作業を、１頁の画像について４回ずつ行う（中間体上色重ね方式）。
【００３７】
二次転写ユニット１１６は、転写ベルトユニット１１５の転写ベルト上に１頁分のトナー像が転写されると、そのトナー像を印刷用紙上に二次転写するユニットである。この二次転写ユニット１１６は、転写ベルトを回転させるための一つのローラとの間で転写ベルトと用紙とを挟みつけるクラッチ付きローラを、備えており、二次転写を行なわない場合には、クラッチ付きローラを空転させるものとなっている。
【００３８】
定着ユニット１１７は、二次転写によって用紙上に付着されたトナーを加熱して溶融させることにより、用紙にトナーを融着させるユニットである。
【００３９】
次に、ロータリ現像ユニット１１４について、詳しく説明する。
【００４０】
ロータリ現像ユニット１１４は、主要な構成として、カートリッジロータ１１４ｒｔ，ＣＳＩＣ読取機１１４ｒｄ，Ｃ用現像ローラ１１４ｄｃ，Ｍ用現像ローラ１１４ｄｍ，Ｙ用現像ローラ１１４ｄｙ，Ｋ用現像ローラ１１４ｄｋ，及び、モータドライバ１１４ｍｄを、内蔵している。
【００４１】
カートリッジロータ１１４ｒｔは、略円筒形の骨格構造を有しており、その中心軸周りに回転自在となっている。また、このカートリッジロータ１１４ｒｔの内部において、その中心軸を対称軸とする４つの対称位置には、それぞれ、略円柱状のトナーカートリッジ２１を装填するための構造を持つカートリッジ装填部１１４Ｃ，１１４Ｍ，１１４Ｙ，１１４Ｋが、形成されている。
【００４２】
ＣＳＩＣ読取機１１４ｒｄは、カートリッジ装填部１１４Ｃ，１１４Ｍ，１１４Ｙ，１１４Ｋに装填されたトナーカートリッジ２１に組み付けられている図示せぬＣＳＩＣからその内部に記録されている情報を非接触にて読み取る機器であり、カートリッジロータ１１４ｒｔの近傍に配置されている。なお、図示せぬＣＳＩＣは、組み付けられるトナーカートリッジ２１に充填されているトナーの色に関する情報を記憶しており、この図示せぬＣＳＩＣから読み取られた情報は、ＣＳＩＣ読取機１１４ｒｄからＩ／Ｆ回路１０７を通じてＣＰＵ１０９に伝達される。
【００４３】
４個の現像ローラ１１４ｄｃ，１１４ｄｍ，１１４ｄｙ，１１４ｄｋは、何れも、感光ドラムの表面に形成された静電潜像を可視化する機器であり、４個のカートリッジ装填部１１４Ｃ，１１４Ｍ，１１４Ｙ，１１４Ｋにおける対称な位置に、それぞれ組み込まれている。具体的には、この現像ローラ１１４ｄｃ，１１４ｄｍ，１１４ｄｙ，１１４ｄｋは、感光ユニット１１１の感光ドラムが近接している際に、カートリッジ装填部１１４Ｃ，１１４Ｍ，１１４Ｙ，１１４Ｋに装填されたトナーカートリッジ２１からトナーを取り出し、取り出したトナーに静電気を付加しつつ感光ドラムの表面に搬送する。
【００４４】
モータドライバ１１４ｍｄは、カートリッジロータ１１４ｒｔを回転させるとともにその回転を制御する機器である。具体的には、モータドライバ１１４ｍｄは、４個の現像ローラ１１４ｄｃ，１１４ｄｍ，１１４ｄｙ，１１４ｄｋのうちの何れか一つを指定する情報をＣＰＵ１０９からＩ／Ｆ回路１０７を通じて受け取ると、図示せぬ位置センサを通じてカートリッジロータ１１４ｒｔの位置を監視しながら、図示せぬモータ及びギア機構を介してカートリッジロータ１１４ｒｔを回転させ、指定された現像ローラを感光ユニット１１１の感光ドラムの近接位置に配置させる。
【００４５】
このように構成されるロータリ現像ユニット１１４は、カートリッジ装填部１１４Ｃ，１１４Ｍ，１１４Ｙ，１１４Ｋからトナーカートリッジ２１を抜き出したりカートリッジ装填部１１４Ｃ，１１４Ｍ，１１４Ｙ，１１４Ｋにトナーカートリッジ２１を差し入れたりするための取出口１１４Ｈを、筐体に備えている。なお、この取出口１１４Ｈの大きさは、一本のトナーカートリッジ２１を差し入れすることができるだけの大きさとなっている。このため、ロータリ現像ユニット１１４に対して４本のトナーカートリッジ２１を出し入れするためには、４個のカートリッジ装填部１１４Ｃ，１１４Ｍ，１１４Ｙ，１１４Ｋのそれぞれについて、そのカートリッジ装填部を取出口１１４Ｈの位置に配置させる操作を行わねばならない。この操作は、ＣＰＵ１０９から指示を受けたモータドライバ１１４ｍｄがカートリッジロータ１１４ｒｔを９０度ずつ回転させることによって行う。
【００４６】
ところで、取出口１１４Ｈは、図示していないが、印刷装置１０の筐体に開閉自在に取り付けられることによってこの筐体の一部を構成する外カバーの内側に、設置されている。従って、この図示せぬ外カバーが開けられたときのみ、取出口１１４Ｈに対してトナーカートリッジ２１を出し入れすることができ、外カバーが閉じられているときには、取出口１１４Ｈは、外観上見えないようになっている。なお、本実施形態においては、取出口１１４Ｈを蓋するための内カバーは、設けられていない。
【００４７】
次に、印刷モードの切り替え時に実行される処理の内容について説明する。
【００４８】
以上に説明したように構成される印刷装置１０は、カラーモード，モノクロ４モード，及び、モノクロ１モードのうちの何れかの印刷モードで動作するものとなっている。なお、カラーモードは、ＣＭＹＫの色成分のトナーを利用してカラー印刷を行う印刷モードであり、モノクロ４モード及びモノクロ１モードは、Ｋの色成分のトナーを利用して白黒のモノクロ印刷を行う印刷モードである。
【００４９】
また、各印刷モードでは、その印刷モードで利用するトナー色を持つトナーカートリッジ２１がどのカートリッジ装填部に装填されるべきかが決められている。具体的には、カラーモードでは、ＣＭＹＫのトナーを持つ４本のトナーカートリッジ２１が、それぞれ対応するカートリッジ装填部１１４Ｃ，１１４Ｍ，１１４Ｙ，１１４Ｋに装填されねばならず、モノクロ４モードでは、Ｋのトナーを持つ４本のトナーカートリッジ２１が、４個のカートリッジ装填部１１４Ｃ，１１４Ｍ，１１４Ｙ，１１４Ｋにそれぞれ装填されねばならず、モノクロ１モードでは、Ｋのトナーを持つ１本のトナーカートリッジ２１がＫ用のカートリッジ装填部１１４Ｋに装填されねばならない。
【００５０】
なお、ＲＯＭ１０５は、印刷モード毎に、その印刷モードで利用するトナー色とカートリッジ装填部との対応付けを定義した対応情報を、記憶しており、後述するように、ＣＰＵ１０９は、この対応情報に基づいて、カートリッジ装填部１１４Ｃ，１１４Ｍ，１１４Ｙに装填すべきトナーカートリッジ２１を判断する。但し、この対応情報は、後述する図３乃至図６においては、用いられることはない。
【００５１】
この印刷装置１０のＣＰＵ１０９は、操作パネル１０ａ上においてメニュー表示の指示が入力されると、それをトリガとして、ＲＯＭ１０５から所定のプログラムを読み出して、処理を開始する。図３乃至図６は、その処理の流れを示す図である。
【００５２】
この処理の開始後、ＣＰＵ１０９は、図３に示されるように、この時点の印刷モードを示す情報をＥＥＰＲＯＭ１０８から読み出し（Ｓ１００１）、この時点の印刷モードがモノクロ１モードであるか、モノクロ４モードであるか、カラーモードであるかを、判別する（Ｓ１００２，Ｓ１００３）。
【００５３】
そして、メニュー表示が指示された時点の印刷モードがモノクロ１モードであると判断した場合（Ｓ１００２；ＹＥＳ）、ＣＰＵ１０９は、“Change Mode B/W1”が含まれず“Change Mode B/W4”と“Change Mode Color”とが含まれたメニューリストを、操作パネル１０ａのＬＣＤに表示する（Ｓ１０１１）。このとき、ＬＣＤには、メニューリスト中の一つの項目だけが表示され、操作者は、操作パネル１０ａの矢印ボタンを押下することによってメニューリストをスクロールさせることができるとともに、図示せぬ決定ボタンを押下することによってＬＣＤに表示されている項目の実行を指示できる。ＣＰＵ１０９は、メニューリストの表示後、操作パネル１０ａにおいて項目の実行が指示されるまで待機する（Ｓ１０１２；ＮＯ）。
【００５４】
その後、操作パネル１０ａにおいて項目の実行が指示されると（Ｓ１０１２；ＹＥＳ）、ＣＰＵ１０９は、印刷モードのモノクロ４モードへの変更が指示されたか、カラーモードへの変更が指示されたか、その他の項目が指示されたかを、判別する（Ｓ１０１３）。なお、その他の項目が指示されたと判断した場合には、ＣＰＵ１０９は、その項目に応じた処理を実行して、図３乃至図６に係る処理を終了する。但し、これらの処理は、本発明とは関係ないので、図示及び説明を省略する。
【００５５】
＜モノクロ１→モノクロ４＞
そして、印刷モードのモノクロ４モードへの変更が指示されたと判断した場合（Ｓ１０１３；ＹＥＳ）、ＣＰＵ１０９は、図４に示されるように、カートリッジロータ１１４ｒｔを回転させてＣ用のカートリッジ装填部１１４Ｃを取出口１１４Ｈのある位置に配置させる処理を行うとともに、その処理を実行する間だけ操作パネル１０ａのＬＣＤに“Please Wait”の文字列を表示させる処理を行う（Ｓ１１０１）。
【００５６】
ＣＰＵ１０９は、Ｃ用のカートリッジ装填部１１４Ｃを取出口１１４Ｈのある位置に配置させた後、操作パネル１０ａのＬＣＤに“Install K Tnr Cart”の文字列を表示させ（Ｓ１１０２）、図示せぬ外カバーが一旦開閉されるまで待機する（Ｓ１１０３；ＮＯ）。なお、このカバーの開閉作業の間に、操作者は、取出口１１４Ｈに、Ｋのトナーが充填されているトナーカートリッジ２１を差し入れることができる。また、外カバーの開閉は、図示せぬセンサを通じてＣＰＵ１０９が監視する。
【００５７】
そして、図示せぬ外カバーが閉じられた後（Ｓ１１０３；ＹＥＳ）、ＣＰＵ１０９は、Ｋのトナーが充填されたトナーカートリッジ２１がロータリ現像ユニット１１４のＣ用のカートリッジ装填部１１４Ｃに装填されているか否かを、判別する（Ｓ１１０４）。
【００５８】
そして、ロータリ現像ユニット１１４のＣ用のカートリッジ装填部１１４ＣにＫのトナーカートリッジ２１が装填されていないと判断した場合（Ｓ１１０４；ＮＯ）、ＣＰＵ１０９は、再度、操作パネル１０ａのＬＣＤに“Install K Tnr Cart”の文字列を表示させる（Ｓ１１０２）。
【００５９】
一方、ロータリ現像ユニット１１４のＣ用のカートリッジ装填部１１４ＣにＫのトナーカートリッジ２１が装填されていると判断した場合（Ｓ１１０４；ＹＥＳ）、ＣＰＵ１０９は、カートリッジロータ１１４ｒｔを回転させてＭ用のカートリッジ装填部１１４Ｍを取出口１１４Ｈのある位置に配置させる処理を行うとともに、その処理を実行する間だけ操作パネル１０ａのＬＣＤに“Please Wait”の文字列を表示させる処理を行う（Ｓ１１０５）。
【００６０】
ＣＰＵ１０９は、Ｍ用のカートリッジ装填部１１４Ｍを取出口１１４Ｈのある位置に配置させた後、操作パネル１０ａのＬＣＤに“Install K Tnr Cart”の文字列を表示させ（Ｓ１１０６）、図示せぬ外カバーが一旦開閉されるまで待機する（Ｓ１１０７；ＮＯ）。なお、このカバーの開閉作業の間に、操作者は、取出口１１４Ｈに、Ｋのトナーが充填されているトナーカートリッジ２１を差し入れることができる。
【００６１】
そして、図示せぬ外カバーが閉じられた後（Ｓ１１０７；ＹＥＳ）、ＣＰＵ１０９は、Ｋのトナーが充填されたトナーカートリッジ２１がロータリ現像ユニット１１４のＭ用のカートリッジ装填部１１４Ｍに装填されているか否かを、判別する（Ｓ１１０８）。
【００６２】
そして、ロータリ現像ユニット１１４のＭ用のカートリッジ装填部１１４ＭにＫのトナーカートリッジ２１が装填されていないと判断した場合（Ｓ１１０８；ＮＯ）、ＣＰＵ１０９は、再度、操作パネル１０ａのＬＣＤに“Install K Tnr Cart”の文字列を表示させる（Ｓ１１０６）。
【００６３】
一方、ロータリ現像ユニット１１４のＭ用のカートリッジ装填部１１４ＭにＫのトナーカートリッジ２１が装填されていると判断した場合（Ｓ１１０８；ＹＥＳ）、ＣＰＵ１０９は、カートリッジロータ１１４ｒｔを回転させてＹ用のカートリッジ装填部１１４Ｙを取出口１１４Ｈのある位置に配置させる処理を行うとともに、その処理を実行する間だけ操作パネル１０ａのＬＣＤに“Please Wait”の文字列を表示させる処理を行う（Ｓ１１０９）。
【００６４】
ＣＰＵ１０９は、Ｙ用のカートリッジ装填部１１４Ｙを取出口１１４Ｈのある位置に配置させた後、操作パネル１０ａのＬＣＤに“Install K Tnr Cart”の文字列を表示させ（Ｓ１１１０）、図示せぬ外カバーが一旦開閉されるまで待機する（Ｓ１１１１；ＮＯ）。なお、このカバーの開閉作業の間に、操作者は、取出口１１４Ｈに、Ｋのトナーが充填されているトナーカートリッジ２１を差し入れることができる。
【００６５】
そして、図示せぬ外カバーが閉じられた後（Ｓ１１１１；ＹＥＳ）、ＣＰＵ１０９は、Ｋのトナーが充填されたトナーカートリッジ２１がロータリ現像ユニット１１４のＹ用のカートリッジ装填部１１４Ｙに装填されているか否かを、判別する（Ｓ１１１２）。
【００６６】
そして、ロータリ現像ユニット１１４のＹ用のカートリッジ装填部１１４ＹにＫのトナーカートリッジ２１が装填されていないと判断した場合（Ｓ１１１２；ＮＯ）、ＣＰＵ１０９は、再度、操作パネル１０ａのＬＣＤに“Install K Tnr Cart”の文字列を表示させる（Ｓ１１１０）。
【００６７】
一方、ロータリ現像ユニット１１４のＹ用のカートリッジ装填部１１４ＹにＫのトナーカートリッジ２１が装填されていると判断した場合（Ｓ１１１２；ＹＥＳ）、ＣＰＵ１０９は、この時点の印刷モードを示すものとしてＥＥＰＲＯＭ１０８に記録されていた情報に、モノクロ４モードを示す情報を上書きするとともに、ＥＥＰＲＯＭ１０８内に記録されている使用結果に関する情報の一部（トナー残量，総ドット数に対する印字ドット数の割合の平均，１％のトナー量に要したドット数の平均）を初期化することによって、印刷モードをモノクロ４モードへ移行させ（Ｓ１１１３）、その後、図３に示されるように、印刷装置１０を再起動するためのリブート処理を実行して（Ｓ１６０１）、図３乃至図６に係る処理を終了する。
【００６８】
＜モノクロ１→カラー＞
一方、印刷モードのカラーモードへの変更が指示されたと判断した場合（Ｓ１０１３；ＮＯ）、ＣＰＵ１０９は、図４に示されるように、カートリッジロータ１１４ｒｔを回転させてＣ用のカートリッジ装填部１１４Ｃを取出口１１４Ｈのある位置に配置させる処理を行うとともに、その処理を実行する間だけ操作パネル１０ａのＬＣＤに“Please Wait”の文字列を表示させる処理を行う（Ｓ１２０１）。
【００６９】
ＣＰＵ１０９は、Ｃ用のカートリッジ装填部１１４Ｃを取出口１１４Ｈのある位置に配置させた後、操作パネル１０ａのＬＣＤに“Install C Tnr Cart”の文字列を表示させ（Ｓ１２０２）、図示せぬ外カバーが一旦開閉されるまで待機する（Ｓ１２０３；ＮＯ）。なお、このカバーの開閉作業の間に、操作者は、取出口１１４Ｈに、Ｃのトナーが充填されているトナーカートリッジ２１を差し入れることができる。
【００７０】
そして、図示せぬ外カバーが閉じられた後（Ｓ１２０３；ＹＥＳ）、ＣＰＵ１０９は、Ｃのトナーが充填されたトナーカートリッジ２１がロータリ現像ユニット１１４のＣ用のカートリッジ装填部１１４Ｃに装填されているか否かを、判別する（Ｓ１２０４）。
【００７１】
そして、ロータリ現像ユニット１１４のＣ用のカートリッジ装填部１１４ＣにＣのトナーカートリッジ２１が装填されていないと判断した場合（Ｓ１２０４；ＮＯ）、ＣＰＵ１０９は、再度、操作パネル１０ａのＬＣＤに“Install C Tnr Cart”の文字列を表示させる（Ｓ１２０２）。
【００７２】
一方、ロータリ現像ユニット１１４のＣ用のカートリッジ装填部１１４ＣにＣのトナーカートリッジ２１が装填されていると判断した場合（Ｓ１２０４；ＹＥＳ）、ＣＰＵ１０９は、カートリッジロータ１１４ｒｔを回転させてＭ用のカートリッジ装填部１１４Ｍを取出口１１４Ｈのある位置に配置させる処理を行うとともに、その処理を実行する間だけ操作パネル１０ａのＬＣＤに“Please Wait”の文字列を表示させる処理を行う（Ｓ１２０５）。
【００７３】
ＣＰＵ１０９は、Ｍ用のカートリッジ装填部１１４Ｍを取出口１１４Ｈのある位置に配置させた後、操作パネル１０ａのＬＣＤに“Install M Tnr Cart”の文字列を表示させ（Ｓ１２０６）、図示せぬ外カバーが一旦開閉されるまで待機する（Ｓ１２０７；ＮＯ）。なお、このカバーの開閉作業の間に、操作者は、取出口１１４Ｈに、Ｍのトナーが充填されているトナーカートリッジ２１を差し入れることができる。
【００７４】
そして、図示せぬ外カバーが閉じられた後（Ｓ１２０７；ＹＥＳ）、ＣＰＵ１０９は、Ｍのトナーが充填されたトナーカートリッジ２１がロータリ現像ユニット１１４のＭ用のカートリッジ装填部１１４Ｍに装填されているか否かを、判別する（Ｓ１１０８）。
【００７５】
そして、ロータリ現像ユニット１１４のＭ用のカートリッジ装填部１１４ＭにＭのトナーカートリッジ２１が装填されていないと判断した場合（Ｓ１１０８；ＮＯ）、ＣＰＵ１０９は、再度、操作パネル１０ａのＬＣＤに“Install M Tnr Cart”の文字列を表示させる（Ｓ１２０６）。
【００７６】
一方、ロータリ現像ユニット１１４のＭ用のカートリッジ装填部１１４ＭにＭのトナーカートリッジ２１が装填されていると判断した場合（Ｓ１２０８；ＹＥＳ）、ＣＰＵ１０９は、カートリッジロータ１１４ｒｔを回転させてＹ用のカートリッジ装填部１１４Ｙを取出口１１４Ｈのある位置に配置させる処理を行うとともに、その処理を実行する間だけ操作パネル１０ａのＬＣＤに“Please Wait”の文字列を表示させる処理を行う（Ｓ１２０９）。
【００７７】
ＣＰＵ１０９は、Ｙ用のカートリッジ装填部１１４Ｙを取出口１１４Ｈのある位置に配置させた後、操作パネル１０ａのＬＣＤに“Install Y Tnr Cart”の文字列を表示させ（Ｓ１２１０）、図示せぬ外カバーが一旦開閉されるまで待機する（Ｓ１２１１；ＮＯ）。なお、このカバーの開閉作業の間に、操作者は、取出口１１４Ｈに、Ｙのトナーが充填されているトナーカートリッジ２１を差し入れることができる。
【００７８】
そして、図示せぬ外カバーが閉じられた後（Ｓ１２１１；ＹＥＳ）、ＣＰＵ１０９は、Ｙのトナーが充填されたトナーカートリッジ２１がロータリ現像ユニット１１４のＹ用のカートリッジ装填部１１４Ｙに装填されているか否かを、判別する（Ｓ１２１２）。
【００７９】
そして、ロータリ現像ユニット１１４のＹ用のカートリッジ装填部１１４ＹにＹのトナーカートリッジ２１が装填されていないと判断した場合（Ｓ１２１２；ＮＯ）、ＣＰＵ１０９は、再度、操作パネル１０ａのＬＣＤに“Install Y Tnr Cart”の文字列を表示させる（Ｓ１２１０）。
【００８０】
一方、ロータリ現像ユニット１１４のＹ用のカートリッジ装填部１１４ＹにＹのトナーカートリッジ２１が装填されていると判断した場合（Ｓ１２１２；ＹＥＳ）、ＣＰＵ１０９は、この時点の印刷モードを示すものとしてＥＥＰＲＯＭ１０８に記録されていた情報に、カラーモードを示す情報を上書きするとともに、ＥＥＰＲＯＭ１０８内に記録されている使用結果に関する情報の一部（トナー残量，総ドット数に対する印字ドット数の割合の平均，１％のトナー量に要したドット数の平均）を初期化することによって、印刷モードをモノクロ４モードへ移行させ（Ｓ１２１３）、その後、図３に示されるように、印刷装置１０を再起動するためのリブート処理を実行して（Ｓ１６０１）、図３乃至図６に係る処理を終了する。
【００８１】
また、メニュー表示が指示された時点の印刷モードがモノクロ４モードであると判断した場合（Ｓ１００２；ＮＯ，Ｓ１００３；ＹＥＳ）、ＣＰＵ１０９は、“Change Mode B/W4”が含まれず“Change Mode Color”と“Change Mode B/W1”とが含まれたメニューリストを、操作パネル１０ａのＬＣＤに表示する（Ｓ１０１４）。このとき、前述したように、ＬＣＤには、メニューリスト中の一つの項目だけが表示され、操作者は、操作パネル１０ａの矢印ボタンを押下することによってメニューリストをスクロールさせることができるとともに、図示せぬ決定ボタンを押下することによってＬＣＤに表示されている項目の実行を指示できる。ＣＰＵ１０９は、メニューリストの表示後、操作パネル１０ａにおいて項目の実行が指示されるまで待機する（Ｓ１０１５；ＮＯ）。
【００８２】
その後、操作パネル１０ａにおいて項目の実行が指示されると（Ｓ１０１５；ＹＥＳ）、ＣＰＵ１０９は、印刷モードのカラーモードへの変更が指示されたか、モノクロ１モードへの変更が指定されたか、その他の項目が指示されたかを、判別する（Ｓ１０１６）。なお、その他の項目が指示されたと判断した場合には、ＣＰＵ１０９は、その項目に応じた処理を実行して、図３乃至図６に係る処理を終了する。但し、これらの処理は、本発明とは関係ないので、図示及び説明を省略する。
【００８３】
＜モノクロ４→カラー＞
そして、印刷モードのカラーモードへの変更が指示されたと判断した場合（Ｓ１０１６；ＹＥＳ）、ＣＰＵ１０９は、図５に示されるように、カートリッジロータ１１４ｒｔを回転させてＣ用のカートリッジ装填部１１４Ｃを取出口１１４Ｈのある位置に配置させる処理を行うとともに、その処理を実行する間だけ操作パネル１０ａのＬＣＤに“Please Wait”の文字列を表示させる処理を行う（Ｓ１３０１）。
【００８４】
ＣＰＵ１０９は、Ｃ用のカートリッジ装填部１１４Ｃを取出口１１４Ｈのある位置に配置させた後、操作パネル１０ａのＬＣＤに“Change Toner to C”の文字列を表示させ（Ｓ１３０２）、図示せぬ外カバーが一旦開閉されるまで待機する（Ｓ１３０３；ＮＯ）。なお、このカバーの開閉作業の間に、操作者は、取出口１１４Ｈから、Ｋのトナーが充填されているトナーカートリッジ２１を引き抜くことができるとともに、この取出口１１４Ｈに、Ｃのトナーが充填されているトナーカートリッジ２１を差し入れることができる。
【００８５】
そして、図示せぬ外カバーが閉じられた後（Ｓ１３０３；ＹＥＳ）、ＣＰＵ１０９は、Ｃのトナーが充填されたトナーカートリッジ２１がロータリ現像ユニット１１４のＣ用のカートリッジ装填部１１４Ｃに装填されているか否かを、判別する（Ｓ１３０４）。
【００８６】
そして、ロータリ現像ユニット１１４のＣ用のカートリッジ装填部１１４ＣにＣのトナーカートリッジ２１が装填されていないと判断した場合（Ｓ１３０４；ＮＯ）、ＣＰＵ１０９は、再度、操作パネル１０ａのＬＣＤに“Change Toner to C”の文字列を表示させる（Ｓ１３０２）。
【００８７】
一方、ロータリ現像ユニット１１４のＣ用のカートリッジ装填部１１４ＣにＣのトナーカートリッジ２１が装填されていると判断した場合（Ｓ１３０４；ＹＥＳ）、ＣＰＵ１０９は、カートリッジロータ１１４ｒｔを回転させてＭ用のカートリッジ装填部１１４Ｍを取出口１１４Ｈのある位置に配置させる処理を行うとともに、その処理を実行する間だけ操作パネル１０ａのＬＣＤに“Please Wait”の文字列を表示させる処理を行う（Ｓ１３０５）。
【００８８】
ＣＰＵ１０９は、Ｍ用のカートリッジ装填部１１４Ｍを取出口１１４Ｈのある位置に配置させた後、操作パネル１０ａのＬＣＤに“Change Toner to M”の文字列を表示させ（Ｓ１３０６）、図示せぬ外カバーが一旦開閉されるまで待機する（Ｓ１３０７；ＮＯ）。なお、このカバーの開閉作業の間に、操作者は、取出口１１４Ｈから、Ｋのトナーが充填されているトナーカートリッジ２１を引き抜くことができるとともに、この取出口１１４Ｈに、Ｍのトナーが充填されているトナーカートリッジ２１を差し入れることができる。
【００８９】
そして、図示せぬ外カバーが閉じられた後（Ｓ１３０７；ＹＥＳ）、ＣＰＵ１０９は、Ｍのトナーが充填されたトナーカートリッジ２１がロータリ現像ユニット１１４のＭ用のカートリッジ装填部１１４Ｍに装填されているか否かを、判別する（Ｓ１３０８）。
【００９０】
そして、ロータリ現像ユニット１１４のＭ用のカートリッジ装填部１１４ＭにＭのトナーカートリッジ２１が装填されていないと判断した場合（Ｓ１３０８；ＮＯ）、ＣＰＵ１０９は、再度、操作パネル１０ａのＬＣＤに“Change Toner to M”の文字列を表示させる（Ｓ１３０６）。
【００９１】
一方、ロータリ現像ユニット１１４のＭ用のカートリッジ装填部１１４ＭにＭのトナーカートリッジ２１が装填されていると判断した場合（Ｓ１３０８；ＹＥＳ）、ＣＰＵ１０９は、カートリッジロータ１１４ｒｔを回転させてＹ用のカートリッジ装填部１１４Ｙを取出口１１４Ｈのある位置に配置させる処理を行うとともに、その処理を実行する間だけ操作パネル１０ａのＬＣＤに“Please Wait”の文字列を表示させる処理を行う（Ｓ１３０９）。
【００９２】
ＣＰＵ１０９は、Ｙ用のカートリッジ装填部１１４Ｙを取出口１１４Ｈのある位置に配置させた後、操作パネル１０ａのＬＣＤに“Change Toner to Y”の文字列を表示させ（Ｓ１３１０）、図示せぬ外カバーが一旦開閉されるまで待機する（Ｓ１３１１；ＮＯ）。なお、このカバーの開閉作業の間に、操作者は、取出口１１４Ｈから、Ｋのトナーが充填されているトナーカートリッジ２１を引き抜くことができるとともに、この取出口１１４Ｈに、Ｙのトナーが充填されているトナーカートリッジ２１を差し入れることができる。
【００９３】
そして、図示せぬ外カバーが閉じられた後（Ｓ１３１１；ＹＥＳ）、ＣＰＵ１０９は、Ｙのトナーが充填されたトナーカートリッジ２１がロータリ現像ユニット１１４のＹ用のカートリッジ装填部１１４Ｙに装填されているか否かを、判別する（Ｓ１３１２）。
【００９４】
そして、ロータリ現像ユニット１１４のＹ用のカートリッジ装填部１１４ＹにＹのトナーカートリッジ２１が装填されていないと判断した場合（Ｓ１３１２；ＮＯ）、ＣＰＵ１０９は、再度、操作パネル１０ａのＬＣＤに“Change Toner to Y”の文字列を表示させる（Ｓ１３１０）。
【００９５】
一方、ロータリ現像ユニット１１４のＹ用のカートリッジ装填部１１４ＹにＹのトナーカートリッジ２１が装填されていると判断した場合（Ｓ１３１２；ＹＥＳ）、ＣＰＵ１０９は、この時点の印刷モードを示すものとしてＥＥＰＲＯＭ１０８に記録されていた情報に、カラーモードを示す情報を上書きするとともに、ＥＥＰＲＯＭ１０８内に記録されている使用結果に関する情報の一部（トナー残量，総ドット数に対する印字ドット数の割合の平均，１％のトナー量に要したドット数の平均）を初期化することによって、印刷モードをモノクロ４モードへ移行させ（Ｓ１３１３）、その後、図３に示されるように、印刷装置１０を再起動するためのリブート処理を実行して（Ｓ１６０１）、図３乃至図６に係る処理を終了する。
【００９６】
＜モノクロ４→モノクロ１＞
一方、印刷モードのモノクロ１モードへの変更が指示されたと判断した場合（Ｓ１０１６；ＮＯ）、ＣＰＵ１０９は、図５に示されるように、カートリッジロータ１１４ｒｔを回転させてＣ用のカートリッジ装填部１１４Ｃを取出口１１４Ｈのある位置に配置させる処理を行うとともに、その処理を実行する間だけ操作パネル１０ａのＬＣＤに“Please Wait”の文字列を表示させる処理を行う（Ｓ１４０１）。
【００９７】
ＣＰＵ１０９は、Ｃ用のカートリッジ装填部１１４Ｃを取出口１１４Ｈのある位置に配置させた後、操作パネル１０ａのＬＣＤに“Remove Toner”の文字列を表示させ（Ｓ１４０２）、図示せぬ外カバーが一旦開閉されるまで待機する（Ｓ１４０３；ＮＯ）。なお、このカバーの開閉作業の間に、操作者は、取出口１１４Ｈから、トナーカートリッジ２１を引き抜くことができる。
【００９８】
そして、図示せぬ外カバーが閉じられた後（Ｓ１４０３；ＹＥＳ）、ＣＰＵ１０９は、ロータリ現像ユニット１１４のＣ用のカートリッジ装填部１１４Ｃが空であるか否かを、判別する（Ｓ１４０４）。
【００９９】
そして、ロータリ現像ユニット１１４のＣ用のカートリッジ装填部１１４Ｃが空でないと判断した場合（Ｓ１４０４；ＮＯ）、ＣＰＵ１０９は、再度、操作パネル１０ａのＬＣＤに“Remove Toner”の文字列を表示させる（Ｓ１４０２）。
【０１００】
一方、ロータリ現像ユニット１１４のＣ用のカートリッジ装填部１１４Ｃが空であると判断した場合（Ｓ１４０４；ＹＥＳ）、ＣＰＵ１０９は、カートリッジロータ１１４ｒｔを回転させてＭ用のカートリッジ装填部１１４Ｍを取出口１１４Ｈのある位置に配置させる処理を行うとともに、その処理を実行する間だけ操作パネル１０ａのＬＣＤに“Please Wait”の文字列を表示させる処理を行う（Ｓ１４０５）。
【０１０１】
ＣＰＵ１０９は、Ｍ用のカートリッジ装填部１１４Ｍを取出口１１４Ｈのある位置に配置させた後、操作パネル１０ａのＬＣＤに“Remove Toner”の文字列を表示させ（Ｓ１４０６）、図示せぬ外カバーが一旦開閉されるまで待機する（Ｓ１４０７；ＮＯ）。なお、このカバーの開閉作業の間に、操作者は、取出口１１４Ｈから、トナーカートリッジ２１を引き抜くことができる。
【０１０２】
そして、図示せぬ外カバーが閉じられた後（Ｓ１４０７；ＹＥＳ）、ＣＰＵ１０９は、ロータリ現像ユニット１１４のＭ用のカートリッジ装填部１１４Ｍが空であるか否かを、判別する（Ｓ１４０８）。
【０１０３】
そして、ロータリ現像ユニット１１４のＭ用のカートリッジ装填部１１４Ｍが空でないと判断した場合（Ｓ１４０８；ＮＯ）、ＣＰＵ１０９は、再度、操作パネル１０ａのＬＣＤに“Remove Toner”の文字列を表示させる（Ｓ１４０６）。
【０１０４】
一方、ロータリ現像ユニット１１４のＭ用のカートリッジ装填部１１４Ｍが空であると判断した場合（Ｓ１４０８；ＹＥＳ）、ＣＰＵ１０９は、カートリッジロータ１１４ｒｔを回転させてＹ用のカートリッジ装填部１１４Ｙを取出口１１４Ｈのある位置に配置させる処理を行うとともに、その処理を実行する間だけ操作パネル１０ａのＬＣＤに“Please Wait”の文字列を表示させる処理を行う（Ｓ１４０９）。
【０１０５】
ＣＰＵ１０９は、Ｙ用のカートリッジ装填部１１４Ｙを取出口１１４Ｈのある位置に配置させた後、操作パネル１０ａのＬＣＤに“Remove Toner”の文字列を表示させ（Ｓ１４１０）、図示せぬ外カバーが一旦開閉されるまで待機する（Ｓ１４１１；ＮＯ）。なお、このカバーの開閉作業の間に、操作者は、取出口１１４Ｈから、トナーカートリッジ２１を引き抜くことができる。
【０１０６】
そして、図示せぬ外カバーが閉じられた後（Ｓ１４１１；ＹＥＳ）、ＣＰＵ１０９は、ロータリ現像ユニット１１４のＹ用のカートリッジ装填部１１４Ｙが空であるか否かを、判別する（Ｓ１４１２）。
【０１０７】
そして、ロータリ現像ユニット１１４のＹ用のカートリッジ装填部１１４Ｙが空でないと判断した場合（Ｓ１４１２；ＮＯ）、ＣＰＵ１０９は、再度、操作パネル１０ａのＬＣＤに“Remove Toner”の文字列を表示させる（Ｓ１４１０）。
【０１０８】
一方、ロータリ現像ユニット１１４のＹ用のカートリッジ装填部１１４Ｙが空であると判断した場合（Ｓ１４１２；ＹＥＳ）、ＣＰＵ１０９は、この時点の印刷モードを示すものとしてＥＥＰＲＯＭ１０８に記録されていた情報に、カラーモードを示す情報を上書きするとともに、ＥＥＰＲＯＭ１０８内に記録されている使用結果に関する情報の一部（トナー残量，総ドット数に対する印字ドット数の割合の平均，１％のトナー量に要したドット数の平均）を初期化することによって、印刷モードをモノクロ１モードへ移行させ（Ｓ１４１３）、その後、図３に示されるように、印刷装置１０を再起動するためのリブート処理を実行して（Ｓ１６０１）、図３乃至図６に係る処理を終了する。
【０１０９】
また、メニュー表示が指示された時点の印刷モードがカラーモードであると判断した場合（Ｓ１００２；ＮＯ，Ｓ１００３；ＮＯ）、ＣＰＵ１０９は、“Change Mode Color”が含まれず“Change Mode B/W1”と“Change Mode B/W4”とが含まれたメニューリストを、操作パネル１０ａのＬＣＤに表示する（Ｓ１０１７）、このとき、ＬＣＤには、メニューリスト中の一つの項目だけが表示され、操作者は、操作パネル１０ａの矢印ボタンを押下することによってメニューリストをスクロールさせることができるとともに、図示せぬ決定ボタンを押下することによってＬＣＤに表示されている項目の実行を指示できる。ＣＰＵ１０９は、メニューリストの表示後、操作パネル１０ａにおいて項目の実行が指示されるまで待機する（Ｓ１０１８；ＮＯ）。
【０１１０】
その後、操作パネル１０ａにおいて項目の実行が指示されると（Ｓ１０１８；ＹＥＳ）、ＣＰＵ１０９は、印刷モードのモノクロ１モードへの変更が指示されたか、モノクロ４モードへの変更が指示されたか、その他の項目が指示されたかを、判別する（Ｓ１０１９）。なお、その他の項目が指示されたと判断した場合には、ＣＰＵ１０９は、その項目に応じた処理を実行して、図３乃至図６に係る処理を終了する。但し、これらの処理は、本発明とは関係ないので、図示及び説明を省略する。
【０１１１】
＜カラー→モノクロ４＞
そして、印刷モードのモノクロ４モードへの変更が指示されたと判断した場合（Ｓ１０１９；ＹＥＳ）、ＣＰＵ１０９は、図６に示されるように、カートリッジロータ１１４ｒｔを回転させてＣ用のカートリッジ装填部１１４Ｃを取出口１１４Ｈのある位置に配置させる処理を行うとともに、その処理を実行する間だけ操作パネル１０ａのＬＣＤに“Please Wait”の文字列を表示させる処理を行う（Ｓ１５０１）。
【０１１２】
ＣＰＵ１０９は、Ｃ用のカートリッジ装填部１１４Ｃを取出口１１４Ｈのある位置に配置させた後、操作パネル１０ａのＬＣＤに“Change Toner to K”の文字列を表示させ（Ｓ１５０２）、図示せぬ外カバーが一旦開閉されるまで待機する（Ｓ１５０３；ＮＯ）。なお、このカバーの開閉作業の間に、操作者は、取出口１１４Ｈから、Ｃのトナーが充填されているトナーカートリッジ２１を引き抜くことができるとともに、この取出口１１４Ｈに、Ｋのトナーが充填されているトナーカートリッジ２１を差し入れることができる。
【０１１３】
そして、図示せぬ外カバーが閉じられた後（Ｓ１５０３；ＹＥＳ）、ＣＰＵ１０９は、Ｋのトナーが充填されたトナーカートリッジ２１がロータリ現像ユニット１１４のＣ用のカートリッジ装填部１１４Ｃに装填されているか否かを、判別する（Ｓ１５０４）。
【０１１４】
そして、ロータリ現像ユニット１１４のＣ用のカートリッジ装填部１１４ＣにＫのトナーカートリッジ２１が装填されていないと判断した場合（Ｓ１５０４；ＮＯ）、ＣＰＵ１０９は、再度、操作パネル１０ａのＬＣＤに“Change Toner to K”の文字列を表示させる（Ｓ１５０２）。
【０１１５】
一方、ロータリ現像ユニット１１４のＣ用のカートリッジ装填部１１４ＣにＫのトナーカートリッジ２１が装填されていると判断した場合（Ｓ１５０４；ＹＥＳ）、ＣＰＵ１０９は、カートリッジロータ１１４ｒｔを回転させてＭ用のカートリッジ装填部１１４Ｍを取出口１１４Ｈのある位置に配置させる処理を行うとともに、その処理を実行する間だけ操作パネル１０ａのＬＣＤに“Please Wait”の文字列を表示させる処理を行う（Ｓ１５０５）。
【０１１６】
ＣＰＵ１０９は、Ｍ用のカートリッジ装填部１１４Ｍを取出口１１４Ｈのある位置に配置させた後、操作パネル１０ａのＬＣＤに“Change Toner to K”の文字列を表示させ（Ｓ１５０６）、図示せぬ外カバーが一旦開閉されるまで待機する（Ｓ１５０７；ＮＯ）。なお、このカバーの開閉作業の間に、操作者は、取出口１１４Ｈから、Ｍのトナーが充填されているトナーカートリッジ２１を引き抜くことができるとともに、この取出口１１４Ｈに、Ｋのトナーが充填されているトナーカートリッジ２１を差し入れることができる。
【０１１７】
そして、図示せぬ外カバーが閉じられた後（Ｓ１５０７；ＹＥＳ）、ＣＰＵ１０９は、Ｋのトナーが充填されたトナーカートリッジ２１がロータリ現像ユニット１１４のＭ用のカートリッジ装填部１１４Ｍに装填されているか否かを、判別する（Ｓ１５０８）。
【０１１８】
そして、ロータリ現像ユニット１１４のＭ用のカートリッジ装填部１１４ＭにＫのトナーカートリッジ２１が装填されていないと判断した場合（Ｓ１５０８；ＮＯ）、ＣＰＵ１０９は、再度、操作パネル１０ａのＬＣＤに“Change Toner to K”の文字列を表示させる（Ｓ１５０６）。
【０１１９】
一方、ロータリ現像ユニット１１４のＭ用のカートリッジ装填部１１４ＭにＫのトナーカートリッジ２１が装填されていると判断した場合（Ｓ１５０８；ＹＥＳ）、ＣＰＵ１０９は、カートリッジロータ１１４ｒｔを回転させてＹ用のカートリッジ装填部１１４Ｙを取出口１１４Ｈのある位置に配置させる処理を行うとともに、その処理を実行する間だけ操作パネル１０ａのＬＣＤに“Please Wait”の文字列を表示させる処理を行う（Ｓ１５０９）。
【０１２０】
ＣＰＵ１０９は、Ｙ用のカートリッジ装填部１１４Ｙを取出口１１４Ｈのある位置に配置させた後、操作パネル１０ａのＬＣＤに“Change Toner to K”の文字列を表示させ（Ｓ１５１０）、図示せぬ外カバーが一旦開閉されるまで待機する（Ｓ１５１１；ＮＯ）。なお、このカバーの開閉作業の間に、操作者は、取出口１１４Ｈから、Ｙのトナーが充填されているトナーカートリッジ２１を引き抜くことができるとともに、この取出口１１４Ｈに、Ｋのトナーが充填されているトナーカートリッジ２１を差し入れることができる。
【０１２１】
そして、図示せぬ外カバーが閉じられた後（Ｓ１５１１；ＹＥＳ）、ＣＰＵ１０９は、Ｋのトナーが充填されたトナーカートリッジ２１がロータリ現像ユニット１１４のＹ用のカートリッジ装填部１１４Ｙに装填されているか否かを、判別する（Ｓ１５１２）。
【０１２２】
そして、ロータリ現像ユニット１１４のＹ用のカートリッジ装填部１１４ＹにＫのトナーカートリッジ２１が装填されていないと判断した場合（Ｓ１５１２；ＮＯ）、ＣＰＵ１０９は、再度、操作パネル１０ａのＬＣＤに“Change Toner to K”の文字列を表示させる（Ｓ１５１０）。
【０１２３】
一方、ロータリ現像ユニット１１４のＹ用のカートリッジ装填部１１４ＹにＫのトナーカートリッジ２１が装填されていると判断した場合（Ｓ１５１２；ＹＥＳ）、ＣＰＵ１０９は、この時点の印刷モードを示すものとしてＥＥＰＲＯＭ１０８に記録されていた情報に、カラーモードを示す情報を上書きするとともに、ＥＥＰＲＯＭ１０８内に記録されている使用結果に関する情報の一部（トナー残量，総ドット数に対する印字ドット数の割合の平均，１％のトナー量に要したドット数の平均）を初期化することによって、印刷モードをモノクロ４モードへ移行させ（Ｓ１５１３）、その後、図３に示されるように、印刷装置１０を再起動するためのリブート処理を実行して（Ｓ１６０１）、図３乃至図６に係る処理を終了する。
【０１２４】
＜カラー→モノクロ１＞
一方、印刷モードのモノクロ１モードへの変更が指示されたと判断した場合（Ｓ１０１９；ＮＯ）、ＣＰＵ１０９は、＜モノクロ４→モノクロ１＞のときと同様に、図５に示す処理を実行し（Ｓ１４０１〜Ｓ１４１３）、その後、図３に示されるように、印刷装置１０を再起動するためのリブート処理を実行して（Ｓ１６０１）、図３乃至図６に係る処理を終了する。
【０１２５】
以上に説明したように、操作者が印刷モードの切り替えを指示したときには、その時の印刷モード以外の印刷モードへの変更の項目が選択肢として提示され（Ｓ１０１１，Ｓ１０１４，Ｓ１０１７）、その提示された項目の中から何れかの印刷モードへの変更の項目が選択されると（Ｓ１０１２，Ｓ１０１５，Ｓ１０１８）、その印刷モードに必要なトナーカートリッジ２１の脱着を行うためのガイダンスが、提示されることとなる（Ｓ１１０１〜Ｓ１１１３，Ｓ１２０１〜Ｓ１２１３，Ｓ１３０１〜Ｓ１３１３，Ｓ１４０１〜Ｓ１４１３，Ｓ１５０１〜Ｓ１５１３）。
【０１２６】
なお、図３乃至図６に示した処理が最後まで行われる前に電源再投入された場合、トナーカートリッジ２１が適正に装填されているか否かの検査は、再起動後に行われる。
【０１２７】
次に、再起動後に実行される処理の内容について説明する。
【０１２８】
ＣＰＵ１０９は、再起動後（又は主電源の投入後）、ＲＯＭ１０５から所定のプログラムを読み出し、適正なトナーカートリッジ２１がロータリ現像ユニット１１４に装填されているかを確認するための処理を実行する。図７乃至１０は、この処理の流れを示す図である。
【０１２９】
この処理の開始後、ＣＰＵ１０９は、図７に示されるように、印刷モードを示す情報をＥＥＰＲＯＭ１０８から読み出し（Ｓ２００１）、再起動前（又は主電源投入前）に設定されていた印刷モードがモノクロ１モードであるか、モノクロ４モードであるか、カラーモードであるかを、判別する（Ｓ２００２，Ｓ２００３）。
【０１３０】
＜モノクロ１＞
再起動前の印刷モードがモノクロ１モードであると判断した場合（Ｓ２００２；ＹＥＳ）、ＣＰＵ１０９は、図８に示されるように、Ｋのトナーが充填されたトナーカートリッジ２１がロータリ現像ユニット１１４のＫ用のカートリッジ装填部１１４Ｋに装填されているか否かを、判別する（Ｓ２１０１）。
【０１３１】
そして、ロータリ現像ユニット１１４のＫ用のカートリッジ装填部１１４ＫにＫのトナーカートリッジ２１が装填されていないと判断した場合（Ｓ２１０１；ＮＯ）、ＣＰＵ１０９は、Ｋ用のカートリッジ装填部１１４Ｋを取出口１１４Ｈのある位置に配置させる処理を行うとともに、その処理を実行する間だけ操作パネル１０ａのＬＣＤに“Please Wait”の文字列を表示させる処理を行う（Ｓ２１０２）。
【０１３２】
ＣＰＵ１０９は、Ｋ用のカートリッジ装填部１１４Ｋを取出口１１４Ｈのある位置に配置させた後、操作パネル１０ａのＬＣＤに“Install K Tnr Cart”の文字列を表示させ（Ｓ２１０３）、図示せぬ外カバーが一旦開閉されるまで待機する（Ｓ２１０４；ＮＯ）。なお、このカバーの開閉作業の間に、操作者は、取出口１１４Ｈに、Ｋのトナーが充填されているトナーカートリッジ２１を差し入れることができる。
【０１３３】
そして、図示せぬ外カバーが閉じられた後（Ｓ２１０４；ＹＥＳ）、ＣＰＵ１０９は、Ｋのトナーが充填されたトナーカートリッジ２１がロータリ現像ユニット１１４のＫ用のカートリッジ装填部１１４Ｋに装填されているか否かを、判別する（Ｓ２１０５）。
【０１３４】
そして、ロータリ現像ユニット１１４のＫ用のカートリッジ装填部１１４ＫにＫのトナーカートリッジ２１が装填されていないと判断した場合（Ｓ２１０５；ＮＯ）、ＣＰＵ１０９は、再度、操作パネル１０ａのＬＣＤに“Install K Tnr Cart”の文字列を表示させる（Ｓ２１０３）。
【０１３５】
一方、ロータリ現像ユニット１１４のＫ用のカートリッジ装填部１１４ＫにＫのトナーカートリッジ２１が装填されていると判断した場合（Ｓ２１０５；ＹＥＳ）、ＣＰＵ１０９は、ＣＭＹ用のカートリッジ装填部１１４Ｃ，１１４Ｍ，１１４Ｙの何れかにトナーカートリッジ２１が装填されているか否かを、判別する（Ｓ２１０６）。
【０１３６】
また、ロータリ現像ユニット１１４のＫ用のカートリッジ装填部１１４ＫにＫのトナーカートリッジ２１が装填されていると判断した場合（Ｓ２１０１；ＹＥＳ）も、ＣＰＵ１０９は、ＣＭＹ用のカートリッジ装填部１１４Ｃ，１１４Ｍ，１１４Ｙの何れかにトナーカートリッジ２１が装填されているか否かを、判別する（Ｓ２１０６）。
【０１３７】
そして、ＣＭＹ用のカートリッジ装填部１１４Ｃ，１１４Ｍ，１１４Ｙの何れかにトナーカートリッジ２１が装填されていると判断した場合（Ｓ２１０６；ＹＥＳ）、ＣＰＵ１０９は、トナーカートリッジ２１が装填されているカートリッジ装填部を取出口１１４Ｈのある位置に配置させる処理を行うとともに、その処理を実行する間だけ操作パネル１０ａのＬＣＤに“Please Wait”の文字列を表示させる処理を行う（Ｓ２１０７）。
【０１３８】
ＣＰＵ１０９は、そのトナーカートリッジ２１が装填されているカートリッジ装填部を取出口１１４Ｈのある位置に配置させた後、操作パネル１０ａのＬＣＤに“Remove Toner”の文字列を表示させ（Ｓ２１０８）、図示せぬ外カバーが一旦開閉されるまで待機する（Ｓ２１０９；ＮＯ）。なお、このカバーの開閉作業の間に、操作者は、取出口１１４Ｈから、トナーカートリッジ２１を引き抜くことができる。
【０１３９】
そして、図示せぬ外カバーが閉じられた後（Ｓ２１０９；ＹＥＳ）、ＣＰＵ１０９は、ロータリ現像ユニット１１４における取出口１１４Ｈの前にあるカートリッジ装填部が空であるか否かを、判別する（Ｓ２１１０）。
【０１４０】
そして、ロータリ現像ユニット１１４における取出口１１４Ｈの前にあるカートリッジ装填部が空でないと判断した場合（Ｓ２１１０；ＮＯ）、ＣＰＵ１０９は、再度、操作パネル１０ａのＬＣＤに“Remove Toner”の文字列を表示させる（Ｓ２１０８）。
【０１４１】
一方、ロータリ現像ユニット１１４における取出口１１４Ｈの前にあるカートリッジ装填部が空であると判断した場合（Ｓ２１１０；ＹＥＳ）、ＣＰＵ１０９は、再度、ＣＭＹ用のカートリッジ装填部１１４Ｃ，１１４Ｍ，１１４Ｙの何れかにトナーカートリッジ２１が装填されているか否かを、判別する（Ｓ２１０６）。
【０１４２】
一方、ＣＭＹ用のカートリッジ装填部１１４Ｃ，１１４Ｍ，１１４Ｙの何れにもトナーカートリッジ２１が装填されていないと判断した場合（Ｓ２１０６；ＮＯ）、ＣＰＵ１０９は、図７に示されるように、図７乃至図１０に係る処理を終了する。
【０１４３】
＜モノクロ４＞
また、再起動前の印刷モードがモノクロ４モードであると判断した場合（Ｓ２００２；ＮＯ，Ｓ２００３；ＹＥＳ）、ＣＰＵ１０９は、図９に示されるように、Ｋのトナーが充填されたトナーカートリッジ２１がロータリ現像ユニット１１４の全てのカートリッジ装填部１１４Ｃ，１１４Ｍ，１１４Ｙ，１１４Ｋに装填されているか否かを、判別する（Ｓ２２０１）。
【０１４４】
そして、ロータリ現像ユニット１１４のカートリッジ装填部１１４Ｃ，１１４Ｍ，１１４Ｙ，１１４Ｋの何れかにＫのトナーカートリッジ２１が装填されていないと判断した場合（Ｓ２２０１；ＮＯ）、ＣＰＵ１０９は、Ｋのトナーカートリッジ２１が装填されていないカートリッジ装填部にＣＭＹの何れかのトナーカートリッジ２１が装填されているか否かを、判別する（Ｓ２２０２）。
【０１４５】
そして、Ｋのトナーカートリッジ２１が装填されていないカートリッジ装填部にＣＭＹの何れのトナーカートリッジ２１も装填されていないと判断した場合（Ｓ２２０２；ＮＯ）、ＣＰＵ１０９は、未装填のカートリッジ装填部を取出口１１４Ｈのある位置に配置させる処理を行うとともに、その処理を実行する間だけ操作パネル１０ａのＬＣＤに“Please Wait”の文字列を表示させる処理を行う（Ｓ２２０３）。
【０１４６】
ＣＰＵ１０９は、未装填のカートリッジ装填部を取出口１１４Ｈのある位置に配置させた後、操作パネル１０ａのＬＣＤに“Install K Tnr Cart”の文字列を表示させ（Ｓ２２０４）、図示せぬ外カバーが一旦開閉されるまで待機する（Ｓ２２０５；ＮＯ）。なお、このカバーの開閉作業の間に、操作者は、取出口１１４Ｈに、Ｋのトナーが充填されているトナーカートリッジ２１を差し入れることができる。
【０１４７】
そして、図示せぬ外カバーが閉じられた後（Ｓ２２０５；ＹＥＳ）、ＣＰＵ１０９は、ロータリ現像ユニット１１４における取出口１１４Ｈの前にあるカートリッジ装填部にＫのトナーカートリッジ２１が装填されているか否かを、判別する（Ｓ２２０６）。
【０１４８】
そして、ロータリ現像ユニット１１４における取出口１１４Ｈの前にあるカートリッジ装填部にＫのトナーカートリッジ２１が装填されていないと判断した場合（Ｓ２２０６；ＮＯ）、ＣＰＵ１０９は、再度、操作パネル１０ａのＬＣＤに“Install K Tnr Cart”の文字列を表示させる（Ｓ２２０４）。
【０１４９】
一方、ロータリ現像ユニット１１４における取出口１１４Ｈの前にあるカートリッジ装填部にＫのトナーカートリッジ２１が装填されていると判断した場合（Ｓ２２０６；ＹＥＳ）、ＣＰＵ１０９は、再度、ロータリ現像ユニット１１４の全てのカートリッジ装填部１１４Ｃ，１１４Ｍ，１１４Ｙ，１１４ＫにＫのトナーカートリッジ２１が装填されているか否かを、判別する（Ｓ２２０１）。
【０１５０】
一方、Ｋのトナーカートリッジ２１が装填されていないカートリッジ装填部にＣＭＹの何れかのトナーカートリッジ２１が装填されていると判断した場合（Ｓ２２０２；ＹＥＳ）、ＣＰＵ１０９は、そのＫ以外のトナーカートリッジ２１が装填されているカートリッジ装填部を取出口１１４Ｈのある位置に配置させる処理を行うとともに、その処理を実行する間だけ操作パネル１０ａのＬＣＤに“Please Wait”の文字列を表示させる処理を行う（Ｓ２２０７）。
【０１５１】
ＣＰＵ１０９は、そのＫ以外のトナーカートリッジ２１が装填されているカートリッジ装填部を取出口１１４Ｈのある位置に配置させた後、操作パネル１０ａのＬＣＤに“Replace Toner K”の文字列を表示させ（Ｓ２２０８）、図示せぬ外カバーが一旦開閉されるまで待機する（Ｓ２２０９；ＮＯ）。なお、このカバーの開閉作業の間に、操作者は、取出口１１４Ｈから、Ｋ以外のトナーカートリッジ２１を引き抜くことができるとともに、その取出口１１４Ｈに、Ｋのトナーが充填されているトナーカートリッジ２１を差し入れることができる。
【０１５２】
そして、図示せぬ外カバーが閉じられた後（Ｓ２２０９；ＹＥＳ）、ＣＰＵ１０９は、ロータリ現像ユニット１１４における取出口１１４Ｈの前にあるカートリッジ装填部にＫのトナーカートリッジ２１が装填されているか否かを、判別する（Ｓ２２１０）。
【０１５３】
そして、ロータリ現像ユニット１１４における取出口１１４Ｈの前にあるカートリッジ装填部にＫのトナーカートリッジ２１が装填されていないと判断した場合（Ｓ２２１０；ＮＯ）、ＣＰＵ１０９は、再度、操作パネル１０ａのＬＣＤに“Replace Toner K”の文字列を表示させる（Ｓ２２０８）。
【０１５４】
一方、ロータリ現像ユニット１１４における取出口１１４Ｈの前にあるカートリッジ装填部にＫのトナーカートリッジ２１が装填されていると判断した場合（Ｓ２２１０；ＹＥＳ）、ＣＰＵ１０９は、再度、ロータリ現像ユニット１１４の全てのカートリッジ装填部１１４Ｃ，１１４Ｍ，１１４Ｙ，１１４ＫにＫのトナーカートリッジ２１が装填されているか否かを、判別する（Ｓ２２０１）。
【０１５５】
一方、ロータリ現像ユニット１１４のカートリッジ装填部１１４Ｃ，１１４Ｍ，１１４Ｙ，１１４Ｋの何れにもＫのトナーカートリッジ２１が装填されていると判断した場合（Ｓ２２０１；ＹＥＳ）、ＣＰＵ１０９は、図７に示されるように、図７乃至図１０に係る処理を終了する。
【０１５６】
＜カラー＞
また、再起動前の印刷モードがカラーモードであると判断した場合（Ｓ２００２；ＮＯ，Ｓ２００３；ＮＯ）、ＣＰＵ１０９は、図１０に示されるように、ＣＭＹＫのトナーが充填されたトナーカートリッジ２１の全てがロータリ現像ユニット１１４に装填されているか否かを、判別する（Ｓ２３０１）。
【０１５７】
そして、ＣＭＹＫの何れかのトナーカートリッジ２１がロータリ現像ユニット１１４に装填されていないと判断した場合（Ｓ２３０１；ＮＯ）、ＣＰＵ１０９は、未装填のカートリッジ装填部を取出口１１４Ｈのある位置に配置させる処理を行うとともに、その処理を実行する間だけ操作パネル１０ａのＬＣＤに“Please Wait”の文字列を表示させる処理を行う（Ｓ２３０２）。
【０１５８】
ＣＰＵ１０９は、未装填のカートリッジ装填部を取出口１１４Ｈのある位置に配置させた後、操作パネル１０ａのＬＣＤに“Install X Tnr Cart”（Xは、CMYKのうち、取出口１１４の前にあるカートリッジ装填部に対応付けられている色成分）の文字列を表示させ（Ｓ２３０３）、図示せぬ外カバーが一旦開閉されるまで待機する（Ｓ２３０４；ＮＯ）。なお、この外カバーの開閉作業の間に、操作者は、取出口１１４Ｈに、未装填の色のトナーカートリッジ２１を差し入れることができる。
【０１５９】
そして、図示せぬ外カバーが閉じられた後（Ｓ２３０４；ＹＥＳ）、ＣＰＵ１０９は、ロータリ現像ユニット１１４における取出口１１４Ｈの前にあるカートリッジ装填部にＸのトナーカートリッジ２１が装填されているか否かを、判別する（Ｓ２３０５）。
【０１６０】
そして、ロータリ現像ユニット１１４における取出口１１４Ｈの前にあるカートリッジ装填部にＸのトナーカートリッジ２１が装填されていないと判断した場合（Ｓ２３０５；ＮＯ）、ＣＰＵ１０９は、再度、操作パネル１０ａのＬＣＤに“Install X Tnr Cart”の文字列を表示させる（Ｓ２３０３）。
【０１６１】
一方、ロータリ現像ユニット１１４における取出口１１４Ｈの前にあるカートリッジ装填部にＸのトナーカートリッジ２１が装填されていると判断した場合（Ｓ２３０５；ＹＥＳ）、ＣＰＵ１０９は、再度、ＣＭＹＫのトナーカートリッジ２１の全てがロータリ現像ユニット１１４に装填されているか否かを、判別する（Ｓ２３０１）。
【０１６２】
一方、ＣＭＹＫのトナーカートリッジ２１の全てがロータリ現像ユニット１１４に装填されていると判断した場合（Ｓ２３０１；ＹＥＳ）、ＣＰＵ１０９は、ＣＭＹＫのトナーカートリッジ２１の全てが適正なカートリッジ装填部に装填されているか否かを、判別する（Ｓ２３０６）。
【０１６３】
そして、ＣＭＹＫのトナーカートリッジ２１の何れかが適正なカートリッジ装填部に装填されていないと判断した場合（Ｓ２３０６；ＮＯ）、ＣＰＵ１０９は、不適正なトナーカートリッジ２１が装填されているカートリッジ装填部を取出口１１４Ｈへ位置させる処理を行うとともに、その処理を実行する間だけ操作パネル１０ａのＬＣＤに“Please Wait”の文字列を表示させる処理を行う（Ｓ２３０７）。
【０１６４】
ＣＰＵ１０９は、不適正なトナーカートリッジ２１が装填されているカートリッジ装填部を取出口１１４Ｈのある位置に配置させた後、操作パネル１０ａのＬＣＤに“Replace Toner X”（Xは、CMYKのうち、当該カートリッジ装填部に対応付けられている色成分）の文字列を表示させ（Ｓ２３０８）、図示せぬ外カバーが一旦開閉されるまで待機する（Ｓ２３０９；ＮＯ）。なお、この外カバーの開閉作業の間に、操作者は、取出口１１４Ｈを通じて、カートリッジ装填部に装填されている不適正なトナーカートリッジ２１を、適正なトナーカートリッジ２１に交換することができる。
【０１６５】
そして、図示せぬ外カバーが閉じられた後（Ｓ２３０９；ＹＥＳ）、ＣＰＵ１０９は、ロータリ現像ユニット１１４における取出口１１４Ｈの前にあるカートリッジ装填部にＸのトナーカートリッジ２１が装填されているか否かを、判別する（Ｓ２３１０）。
【０１６６】
そして、ロータリ現像ユニット１１４における取出口１１４Ｈの前にあるカートリッジ装填部にＸのトナーカートリッジ２１が装填されていないと判断した場合（Ｓ２３１０；ＮＯ）、ＣＰＵ１０９は、再度、操作パネル１０ａのＬＣＤに“Replace Toner X”の文字列を表示させる（Ｓ２３０８）。
【０１６７】
一方、ロータリ現像ユニット１１４における取出口１１４Ｈの前にあるカートリッジ装填部にＸのトナーカートリッジ２１が装填されていると判断した場合（Ｓ２３１０；ＹＥＳ）、ＣＰＵ１０９は、再度、ＣＭＹＫのトナーカートリッジ２１の全てがロータリ現像ユニット１１４に装填されているか否かを、判別する（Ｓ２３０１）。
【０１６８】
一方、ＣＭＹＫのトナーカートリッジ２１の全てが適正なカートリッジ装填部に装填されていると判断した場合（Ｓ２３０６；ＹＥＳ）、ＣＰＵ１０９は、図７に示されるように、図７乃至図１０に係る処理を終了する。
【０１６９】
以上に説明したように、印刷モードの切り替えをトリガに再起動が行われた後、その時点の印刷モードが検査され（Ｓ２００１〜Ｓ２００３）、トナーカートリッジ２１の装填状態が適正であるか否かがチェックされ（Ｓ２１０１〜Ｓ２１１０，Ｓ２２０１〜Ｓ２２１０，Ｓ２３０１〜Ｓ２３１０）、トナーカートリッジ２１の装填状態が適正でないときには、トナーカートリッジ２１の装填状態を適正にするためのガイダンスが、操作者に提示されることとなる（Ｓ２１０３，Ｓ２１０８，Ｓ２２０４，Ｓ２２０８，Ｓ２３０３，Ｓ２３０８）。
【０１７０】
また、トナーカートリッジ２１の装填状態の改善がガイダンス通りに行われなかった場合には、図７乃至図１０に係る処理から抜け出せないこととなる。
【０１７１】
このように、本実施形態の印刷装置１０によれば、印刷モードを変更する際にどのトナーカートリッジ２１をロータリ現像ユニット１１４に装填しどのトナーカートリッジ２１をロータリ現像機から引き抜くべきかを、操作者が容易に判断することができるようなる。然も、外カバーの内側に、トナーカートリッジ２１を着脱する操作を行うためのカラーボタンを設置する必要がない。
【図面の簡単な説明】
【０１７２】
【図１】本実施形態の印刷装置の構成図
【図２】印刷エンジンの構成図
【図３】印刷モードの切り替えに係る処理の流れを示す図
【図４】印刷モードの切り替えに係る処理の流れを示す図
【図５】印刷モードの切り替えに係る処理の流れを示す図
【図６】印刷モードの切り替えに係る処理の流れを示す図
【図７】トナーカートリッジの装填状態の検査に係る処理の流れを示す図
【図８】トナーカートリッジの装填状態の検査に係る処理の流れを示す図
【図９】トナーカートリッジの装填状態の検査に係る処理の流れを示す図
【図１０】トナーカートリッジの装填状態の検査に係る処理の流れを示す図
【図１１】従来の印刷装置の外カバーを開けた状態を示す斜視図
【符号の説明】
【０１７３】
１０        印刷装置
１０ａ      操作パネル
１０ｂ      印刷エンジン
１０ｃ      制御装置
１０３      ＲＡＭ
１０５      ＲＯＭ
１０６      メモリコントローラ
１０８      ＥＥＰＲＯＭ
１０９      ＣＰＵ
１１１      感光ユニット
１１３      走査ユニット
１１４      ロータリ現像ユニット
１１４ｒｔ  ロータ
１１４Ｃ    Ｃ用のカートリッジ装填部
１１４Ｍ    Ｍ用のカートリッジ装填部
１１４Ｙ    Ｙ用のカートリッジ装填部
１１４Ｋ    Ｋ用のカートリッジ装填部
１１４Ｈ    取出口
２１        トナーカートリッジ
【図１】
2006162811.tif 000003
【図２】
2006162811.tif 000004
【図３】
2006162811.tif 000005
【図４】
2006162811.tif 000006
【図５】
2006162811.tif 000007
【図６】
2006162811.tif 000008
【図７】
2006162811.tif 000009
【図８】
2006162811.tif 000010
【図９】
2006162811.tif 000011
【図１０】
2006162811.tif 000012
【図１１】
2006162811.tif 000013